(57)【要約】【課題】炊飯器の蓋リングを金属製の補強部材の組み合せにより補強する場合に、蓋の強度を維持しつつそのコンパクト化を図ることである。【解決手段】蓋リング６に前後方向の側壁１４、１４とその側壁１４間に連結板１５を設けた補強部材１３を固定し、前記補強部材１３と蓋リング６との間で補強ピン２６を挟持一体化し、前記側壁１４に設けた切欠き部２１と連結板１５に設けた屈曲突条２３に補強ピン２６を挿通し、前記切り欠き部２１と屈曲突条２３にそれぞれ前後方向の補強ビード２２、２４を設けて補強した構成とした。【選択図】  図４
2005034269.tif 000002
【特許請求の範囲】
【請求項１】
蓋リングに蓋上部材を嵌合一体化することにより蓋が構成され、その蓋リング上面に前後方向の側壁とその側壁間に連結板を設けてなる金属製の補強部材を固定し、前記補強部材と該蓋リングとの間に金属製の補強ピンを左右方向に配置して挟持一体化することにより前記蓋を補強するようにした炊飯器の蓋補強構造において、前記補強部材の両側壁の下端縁に前記補強ピンを挿通させる切欠き部を設け、その切欠き部間において前記連結板にその上面に突き出した屈曲突条を設け、前記切り欠き部の上部において各側壁に前後方向の補強ビードを設け、前記補強ピンを前記切欠き部と、前記屈曲突条下面の溝に嵌合したことを特徴とする炊飯器の蓋補強構造。
【請求項２】
前記屈曲突条に前後方向の補強ビードを設けたことを特徴とする請求項１に記載の炊飯器の蓋補強構造。
【請求項３】
前記各切欠き部と屈曲突条とに対向した前記蓋リングの上面に前記補強ピンを部分的に受入れるピン溝を設けたことを特徴とする請求項１又は２に記載の炊飯器の蓋補強構造。
【請求項４】
前記切欠き部が台形をなし、その上辺と両側の斜辺の全３箇所で前記補強ピンと接することを特徴とする請求項１から３のいずれかに記載の炊飯器の蓋補強構造。
【発明の詳細な説明】
【０００１】
【発明の属する技術分野】
この発明は、炊飯器の蓋補強構造に関するものである。
【０００２】
【従来の技術】
良好な炊き上がりを得るために、従来から一定以上の圧力を加えて炊飯する圧力式炊飯器が普及している。圧力式炊飯器の蓋においては、炊飯時の圧力に耐え得るように様々な補強構造が施されている。炊飯器の蓋は、通常蓋リングに蓋上部材を嵌合一体化することにより構成されるが、その蓋を補強するために、蓋リングの上面に前後方向の側壁を左右２箇所に平行に設け、その両側壁間に連結板を設けてなる金属製の補強部材を嵌合固定する構造が知られている（特許文献１参照）。なお、特許文献１には、前記の補強部材を更に補強するために補助的な補強部材を追加することも提案されている。
【０００３】
前記の補助的な補強部材の構成を簡単にするために、金属製の補強ピンを使用し、これを前記補強部材と蓋リングとの間に左右方向に配置して挟持一体化する補強構造を採用した炊飯器は、当出願人が先に特許出願しており（特願２００２−０１８４７３号）、現在はすでに市販され公知である。
【０００４】
【特許文献１】
特開２００１−３５３０６６号公報
【０００５】
【発明が解決しようとする課題】
前述のように、金属製の補強部材にさらに補助的に金属製の補強ピンを追加した補強構造は、補強部材と補強ピンとの干渉をさけるために、補強ピンの上に補強部材を配置する構成が採られる。このため、補強部材の高さがそのまま蓋全体の高さに影響し、蓋のコンパクト化（蓋をできるだけ薄く構成すること。）を妨げる問題がある。このため、補強部材の中間部分に貫通穴を設け、その貫通穴に補強ピンを貫通させる考え方もあるが、貫通穴を設けることにより補強部材の強度が低下する問題がある。
【０００６】
そこで、この発明は前記の補助部材と補強ピンとからなる蓋の補強構造において、補強作用を維持しつつ蓋のコンパクト化を図ることができる補強構造を提供することを課題とする。
【０００７】
【課題を解決するための手段】
上記の課題を解決するために、この発明は、蓋リングに蓋上部材を嵌合一体化することにより蓋が構成され、その蓋リング上面に前後方向の側壁とその側壁間に連結板を設けてなる金属製の補強部材を固定し、前記補強部材と該蓋リングとの間に金属製の補強ピンを左右方向に配置して挟持一体化することにより前記蓋を補強するようにした炊飯器の蓋補強構造において、前記補強部材の両側壁の下端縁に前記補強ピンを挿通させる切欠き部を設け、その切欠き部間において前記連結板にその上面に突き出した屈曲突条を設け、前記切り欠き部の上部において各側壁に前後方向の補強ビードを設け、前記補強ピンを前記切欠き部と、前記屈曲突条下面の溝に嵌合した構成を採用した。
【０００８】
上記の構造によると、補強ピンが切欠き部と屈曲突条下面の溝とに嵌合される分だけ補強部材の位置が低くなり、蓋のコンパクト化に資することができる。また切欠き部の上下方向の強度の低下分は、切欠き部の上部に設けた補強ビードによる補強作用により補われる。
【０００９】
また、前記屈曲突条に前後方向の補強ビードを設けた構成をとることができる。補強部材の連結板に屈曲突条を設けたことによる上下方向の強度の低下は、その屈曲突条に設けた補強ビードの補強作用により補われる。
【００１０】
また、前記各切欠き部と屈曲突条の溝とに対向した前記蓋リングの上面に前記補強ピンを部分的に受入れるピン溝を設けた構成をとることができる。この構成は、補強部材の高さを一定に保持して蓋のコンパクト化を図る一方で、ピン溝の深さ分だけ補強ピンの径を大きくすることができる。又は、補強ピンの径が同一である場合は、ピン溝の深さ分だけ切欠き部の深さを浅くすることができ、切欠き部の強度の低下を抑制することができる。
【００１１】
なお、前記切欠き部が台形をなし、その上辺と両側の斜辺の全３箇所で前記補強ピンと接するようにした構成をとることができる。この構成によると、寸法誤差があっても補強ピンが切欠き部の３箇所で接触するため、補強ピンと補強部材の一体化が確実となる。
【００１２】
【発明の実施の形態】
以下、添付図面に基づいてこの発明の実施形態を説明する。図１はジャー式の圧力炊飯器の一例を示している。この炊飯器は、炊飯器本体１と、ヒンジピン２（図３参照）により炊飯器本体１に開閉自在に取付けられた蓋３と、その蓋３の内面に着脱自在に取付けられた放熱板セット４からなる。炊飯器本体１に炊飯鍋５が収納される。蓋３は、図２、図３に示したように、蓋リング６に蓋上部材７を嵌合一体化したものである。蓋リング６は、図３に示したように、多数の補強リブ８が設けられるとともに、フックピン９より支持されたフック１０、圧力調整装置１１、おねば除去部１２等が設けられる。
【００１３】
また、前記の蓋リング６の上面には、図４に示したような金属製の補強部材１３が固定される。この補強部材１３は、蓋リング６の前後方向（フック９側が前、ヒンジピン２側を後とする。）の側壁１４が左右に平行にほぼ全長にわたる長さをもって形成される。左右の側壁１４の下端間に連結板１５が一体に設けられる。また、各側壁１４の上端はそれぞれ外側に屈曲され、前後方向に一定の間隔をおいて上下方向の取付け穴１６が設けられる。また両側壁１４の後端部に水平方向のヒンジピン穴１７が設けられるとともに、前端に同じく水平方向のフックピン穴１８が設けられる。また、連結板１５には、前記の圧力調整装置１１、おねば除去部１２等を挿通し、これらを連結板１５の上方に露出させるための異形穴１９が設けられる。
【００１４】
前記補強部材１３の前端部に寄った位置において、その両側壁１４、１４の下端縁の対向位置に切欠き部２１、２１が設けられる。各切欠き部２１の上部において、各切欠き部２１の前後にわたる長さの前後方向の補強ビード２２がその側壁１４に設けられる（図２、図４、図５参照）。各補強ビード２２は、側壁１４の一部を内側に膨出するようにプレス成形したものであり、切欠き部２１の上方を補強し、該切欠き部２１を設けたことによる側壁１４の強度の低下分を補う。
【００１５】
また、前方から見て右側の切欠き部２１近傍の連結板１５には、左右方向に延びた屈曲突条２３（図２参照）が設けられる。この屈曲突条２３は、右側の側壁１４に接近した位置から左側の側壁１４側に向けて延びているが、その途中において前記の異形穴１９により切り取られ、部分的なものとなっている。その断面形状は、図５（ｃ）に示したように、連結板１５の上面に突き出した台形の断面を有し、下面に開放したものである。この屈曲突条２３を設けたことによる連結板１５の上下方向の強度の低下を補うために、屈曲突条２３の上面に下面から上面に膨出した２本の前後方向の補強ビード２４が設けられる。補強ビード２４は、屈曲突条２３の前後の傾斜面を越えて連結板１５に達する長さに形成される（図５（ｃ）参照）。
【００１６】
前記の補強部材１３は、その左右の切欠き部２１、２１と屈曲突条２３の下面の溝２５（図５（ｃ）参照）に金属製の補強ピン２６を挿通した状態で、前記取付け穴１６に挿通したビス２７を、蓋リング６のボス部２８にねじ込むことにより補強ピン２６は蓋リング６と補強部材１３との間で挟持され、蓋リング６と一体化される。補強ピン２６は、左右の切欠き部２１、２１の間隔より長く形成され、その両端部は左右の側壁１４、１４の外側に突き出し（図３及び図５参照）、蓋リング６に設けた突起２９、２９に突き当てられて位置決めされる。
【００１７】
前記の補強ピン２６を受ける蓋リング６の上面に浅いピン溝３１が形成される。このピン溝３１に補強ピン２６の一部が嵌った深さａ（図７参照）の分だけ、切欠き部２１による切欠き深さｂを少なくして、一定高さｃを確保し、前記の補強ビード２２と合わせて、この部分の強度を維持するようにしている。前記の深さａ分だけ、蓋リング６に対する補強部材１３の高さを低くし、蓋３のコンパクト化を図っているということもできる。
【００１８】
図７に示したように、切欠き部２１の形状を台形とすることにより、補強ピン２６を３箇所で接触させ、その接触部分に作用する応力を分散するようにしている。切欠き部２１を円弧形にした場合は、製作誤差等により応力が一点に集中する可能性があるが、台形にすることにより、多少の寸法誤差があっても応力を分散させることができる。
【００１９】
なお、図６において３２は前述のおねば除去部１２に嵌着される蒸気口セットであり、蒸気口３３が設けられる。
【００２０】
上述の実施形態においては、補強ピン２６を蓋リング６の前端部寄りの１箇所に設けているが、同様の構造で後端部寄りに設けること、或いは前端部と後端部の２箇所に設けることができる。さらに、前記の屈曲突条２３は断面形状が台形であるが（図５（ｃ）参照）、この形状は半円弧形であってもよい。また、図示の場合は異形穴１９により切り取られ、右側の側壁１４に片寄った部分に形成されているが、異形穴１９の大きさや形状如何によっては、異形穴１９の部分を避けて左右の側壁１４、１４間の全長にわたるように形成する場合もある。
【００２１】
【発明の効果】
この発明は以上のようなものであり、炊飯器の蓋、特にその構成部材の一つである蓋リングは、多数のリブで補強されるほか、金属製の補強部材及びこれらと一体化された補強ピンにより補強され、炊飯時の圧力に耐えることができる。また、補強ピンは補強部材に設けた切欠き部の切欠き深さ及び連結板に設けた屈曲突条の深さ分だけ補強部材に食い込んでいるため、その分だけ蓋のコンパクト化を図ることができる。前記の切欠き部を設けたこと及び屈曲突条を設けたことによる強度の低下は、それぞれこれらの部分に設けた補強ビードにより補償され蓋の強度は十分に維持される。
【図面の簡単な説明】
【図１】実施形態の蓋開放状態の斜視図
【図２】同上の一部省略斜視図
【図３】同上の蓋上部材を除いた平面図
【図４】同上の蓋リング部分の分解斜視図
【図５】（ａ）同上の蓋の断面図
（ｂ）（ａ）図の一部拡大断面図
（ｃ）（ｂ）図のｃ−ｃ線の断面図
【図６】図５（ａ）のＶＩ−ＶＩ線の断面図
【図７】同上の切欠き部の近辺の断面図
【符号の説明】
１  炊飯器本体
２  ヒンジピン
３  蓋
４  放熱板セット
５  炊飯鍋
６  蓋リング
７  蓋上部材
８  補強リブ
９  フックピン
１０  フック
１１  圧力調整装置
１２  おねば除去部
１３  補強部材
１４  側壁
１５  連結板
１６  取付け穴
１７  ヒンジピン穴
１８  フックピン穴
１９  異形穴
２１  切欠き部
２２  補強ビード
２３  屈曲突条
２４  補強ビード
２５  溝
２６  補強ピン
２７  ビス
２８  ボス部
２９  突起
３１  ピン溝
３２  蒸気口セット
３３  蒸気口
【図１】
2005034269.tif 000003
【図２】
2005034269.tif 000004
【図３】
2005034269.tif 000005
【図４】
2005034269.tif 000006
【図５】
2005034269.tif 000007
【図６】
2005034269.tif 000008
【図７】
2005034269.tif 000009